(57)【要約】      （修正有）【課題】交換ヘッドユニットの取付け位置がオフセンターになっても見栄えの良い自動車のインダッシュ装置を提供する。【解決手段】交換用のヘッドユニット１０の表示部が挿入される開口部２１が形成され、モニタ装着部に装着されるフロントパネル２０と、フロントパネル２０に固定されるアジャスタブルパーツ４０とを有し、フロントパネル２０には、開口部２１の側方側表面にアジャスタブルパーツ４０が取付けられるアジャスタブルパーツ取付け部２２が形成され、また、開口部２１及びアジャスタブルパーツ取付け部の周囲を囲うように、開口部２１にアジャスタブルパーツ取付け部２２を加えた横幅の中心線２３を対称として表示部枠部が形成され、アジャスタブルパーツ取付け部には、アジャスタブルパーツ４０が横方向にスライド可能で、かつフロントパネル２０に固定可能に設けられている。【選択図】図４
0003131826.tif 000002
【実用新案登録請求の範囲】
【請求項１】
交換用のヘッドユニットの表示部が挿入される開口部が形成され、モニタ装着部に装着されるフロントパネルと、このフロントパネルに固定されるアジャスタブルパーツとを有し、前記フロントパネルには、前記開口部の側方側表面に前記アジャスタブルパーツが取付けられるアジャスタブルパーツ取付け部が形成され、また前記開口部及び前記アジャスタブルパーツ取付け部の周囲を囲うように、前記開口部に前記アジャスタブルパーツ取付け部を加えた横幅の中心線を対称として表示部枠部が形成され、前記アジャスタブルパーツ取付け部には、前記アジャスタブルパーツが横方向にスライド可能で、かつ前記フロントパネルに固定可能に設けられていることを特徴とする自動車のインダッシュ装置。
【考案の詳細な説明】
【技術分野】
【０００１】
本考案は、自動車のモニター装着部に市販のヘッドユニットを取付けるためのインダッシュ装置に関する。
【背景技術】
【０００２】
自動車のモニター装着部に搭載されている外車用ラジオ等を市販のヘッドユニット（ＣＤ又はＭＤプレヤー、インダッシュナビモニター等）に交換することが行われている。例えば特許文献１参照。
【特許文献１】実用新案登録第３１０４４６２号公報
【考案の開示】
【考案が解決しようとする課題】
【０００３】
モニター装着部に搭載されている外車用ラジオ等の前面部には、フロントパネルが配設されている。外車用ラジオ等を市販のヘッドユニットに交換した場合、モニター装着部の内部構造により、交換ヘッドユニットをフロントパネルの開口部の中央に位置させることができない場合がある。即ち、交換ヘッドユニットの取付け位置がオフセンターになってしまい、見栄えが悪いという問題があった。
【０００４】
本考案の課題は、交換ヘッドユニットの取付け位置がオフセンターになっても見栄えの良い自動車のインダッシュ装置を提供することにある。
【課題を解決するための手段】
【０００５】
上記課題を解決するための本考案は、交換用のヘッドユニットの表示部が挿入される開口部が形成され、モニタ装着部に装着されるフロントパネルと、このフロントパネルに固定されるアジャスタブルパーツとを有し、前記フロントパネルには、前記開口部の側方側表面に前記アジャスタブルパーツが取付けられるアジャスタブルパーツ取付け部が形成され、また前記開口部及び前記アジャスタブルパーツ取付け部の周囲を囲うように、前記開口部に前記アジャスタブルパーツ取付け部を加えた横幅の中心線を対称として表示部枠部が形成され、前記アジャスタブルパーツ取付け部には、前記アジャスタブルパーツが横方向にスライド可能で、かつ前記フロントパネルに固定可能に設けられていることを特徴とする。
【考案の効果】
【０００６】
フロントパネルには、該フロントパネルの開口部及びアジャスタブルパーツ取付け部の周囲を囲うように、開口部にアジャスタブルパーツ取付け部を加えた横幅の中心線を対称として表示部枠部が形成されている。そこで、アジャスタブルパーツを取付けたフロントパネルをヘッドユニットに配設した場合、フロントパネルの中心部がヘッドユニットの中心部であるように見え、見栄えが良くなる。
【考案を実施するための最良の形態】
【０００７】
本考案の自動車のインダッシュ装置の一実施の形態を図１乃至図５により説明する。本実施の形態は、外車用ラジオ等が取付けられたモニター装着部に取付けるための主部品は、図５に示すように、ヘッドユニット１０を取付けるためのフロントパネル２０と、このフロントパネル２０の前面で開口部２１の横部に取付けアジャスタブルパーツ４０とからなっている。
【０００８】
フロントパネル２０は、図１に示すように、ヘッドユニット１０の表示部１１が挿入される矩形形状の開口部２１が形成されている。開口部２１の側面側の表面には、アジャスタブルパーツ４０を取付けるアジャスタブルパーツ取付け部２２が形成され、開口部２１及びアジャスタブルパーツ取付け部２２の周囲を囲うように、開口部２１にアジャスタブルパーツ取付け部２２を加えた横幅の中心部２３を対称として表示部枠部２４が形成されている。更にこの表示部枠部２４の外側には、自動車のモニター装着部の表面に装着させるための外枠部２５が中心部２３を対称として形成されている。
【０００９】
アジャスタブルパーツ取付け部２２には、上方部及び下方部に横方向に伸びたアジャスタブルパーツガイド長穴３０と、ほぼ中央部に横方向に伸びたねじポストガイド長穴３１とが形成されている。フロントパネル２０の裏面には、ねじポストガイド長穴３１の上下にねじ当接突部３２が形成され、前記モニター装着部の周囲をの４個の隅部に設けられた図示しないフロントパネル取付けに取付けるための取付け穴３３が形成されている。
【００１０】
アジャスタブルパーツ４０は、図２に示すように、アジャスタブルパーツ取付け部２２より若干小さな大きさで縦長の矩形形状に形成されている。そして、裏面の上方部及び下方部には、アジャスタブルパーツガイド長穴３０に挿入され、該アジャスタブルパーツガイド長穴３０より短い矩形形状のガイド部４１が形成されている。このガイド部４１は、矩形形状ではなく丸形の円柱形状に形成してもよい。またねじポストガイド長穴３１に挿入される円柱状の固定部４２が形成され、この固定部４２には、ねじ５０が螺合されるねじ穴４３が形成されている。固定部４２はねじ当接突部３２より突出しない長さに形成されている。このアジャスタブルパーツ４０は、フロントパネルと一体感を有するように形成されている。例えば、アジャスタブルパーツ４０をフロントパネルと同色で飾り絵等を設ける。
【００１１】
次に自動車のモニター装着部への取付けについて説明する。まず、準備作業として、フロントパネル２０のアジャスタブルパーツ取付け部２２のアジャスタブルパーツガイド長穴３０にアジャスタブルパーツ４０のガイド部４１を挿入し、アジャスタブルパーツ４０のねじ穴４３にねじ５０を緩く螺合させて仮止めしておく。この場合、アジャスタブルパーツ４０がヘッドユニット１０の開口部２１に突出しないようにセットしておく。
【００１２】
次に図４に示すように、交換用の市販のヘッドユニット１０の前面部にフロントパネル２０を配設する。アジャスタブルパーツ４０はフロントパネル２０のアジャスタブルパーツ取付け部２２にスライド可能に取付けられているので、図５に示すように、アジャスタブルパーツ４０をスライドさせてヘッドユニット１０に当接させる。そして、ねじ５０を締め付けてアジャスタブルパーツ４０をフロントパネル２０に固定する。なお、図４（ｂ）及び図５（ｂ）には、ヘッドユニット１０の図示は省略した。
【００１３】
次にヘッドユニット１０よりフロントパネル２０を取り外した後、自動車のモニター装着部に交換用の市販のヘッドユニット１０を取付ける。続いてこのヘッドユニット１０の前面部にフロントパネル２０を配設する。即ち、モニター装着部に設けられたフロントパネル取付けのピンにフロントパネル２０の取付け穴３３を挿入すると、フロントパネル２０はヘッドユニット１０の前面部に配設される。
【００１４】
このように、ヘッドユニット１０にフロントパネル２０を配設した場合、ヘッドユニット１０の中心部１２はフロントパネル２０の中心部２３よりオフセンターになる。しかし、本実施の形態においては、ヘッドユニット１０と一体感を有するアジャスタブルパーツ４０をアジャスタブルパーツ取付け部２２に取付けてなるので、フロントパネル２０の中心部２３がヘッドユニット１０の中心部であるように見え、見栄えが良くなる。
【図面の簡単な説明】
【００１５】
【図１】本考案の自動車のインダッシュ装置に用いるフロントパネルの一実施の形態を示し、（ａ）は正面図、（ｂ）は裏面図、（ｃ）は横断面図である。
【図２】アジャスタブルパーツを示し、（ａ）は正面図、（ｂ）は裏面図、（ｃ）は縦断面図である。
【図３】フロントパネルにヘッドユニットが組み込まれた正面図である。
【図４】図３の状態にアジャスタブルパーツを取付けた場合を示し、（ａ）は正面図、（ｂ）はヘッドユニットを省略して図示した横断面図である。
【図５】図４の状態よりアジャスタブルパーツをスライドさせた状態を示し、（ａ）は正面図、（ｂ）はヘッドユニットを省略して図示した横断面図である。
【符号の説明】
【００１６】
１０    ヘッドユニット
２０    フロントパネル
２１    開口部
２２    アジャスタブルパーツ取付け部
２３    中心部
２４    表示部枠部
２５    外枠部
３０    アジャスタブルパーツガイド長穴
３１    ねじポストガイド長穴
４０    アジャスタブルパーツ
４１    ガイド部
４２    固定部
４３    ねじ穴
５０    ねじ
【図１】
0003131826.tif 000003
【図２】
0003131826.tif 000004
【図３】
0003131826.tif 000005
【図４】
0003131826.tif 000006
【図５】
0003131826.tif 000007